(57)【要約】【課題】この発明は、発熱部材を放熱部材に押し付ける押し付け作業の作業性を向上させることができる発熱部材の放熱構造を提供すること【解決手段】このように放熱構造体１は、基板１３に対して立設された発熱部品２０と、発熱部品２０に近接するとともに、並列配置された側面１２ｂと、側面１２ｂと発熱部品２０との少なくともに押し付け部材３０を、側面１２ｂに押し付ける押し付け部材３０と、押し付け部材３０を作動させて発熱部品２０を側面１２ｂに押し付ける操作を行う押し付け操作部４０と、発熱部品２０を保護するアッパーカバー１２とを有しされ、基板１３に対して発熱部品２０が立設された方向を上下方向Ｈとし、押し付け操作部４０は、押し付け部材３０を側面１２ｂに押し付けるように、アッパーカバー１２の外部における上側Ｈｕから押し付け部材３０を操作すること【選択図】図１
2020161768.tif 000002
【特許請求の範囲】
【請求項１】
基板に対して立設された発熱部材と、
該発熱部材に近接するとともに、並列配置された放熱部材と、
前記放熱部材と前記発熱部材との少なくともに一方を、他方に押し付ける押し付け部材と、
該押し付け部材を作動させて前記発熱部材を前記放熱部材に押し付ける操作を行う操作部と、
前記発熱部材を保護する外装カバーとで構成され、
前記基板に対して前記発熱部材が立設された方向を立設方向とし、
前記操作部は、前記一方が前記他方を押し付けるように、前記発熱部材の前記立設方向に配置された前記外装カバーの外部から前記押し付け部材を操作する
発熱部材の放熱構造。
【請求項２】
前記押し付け部材は、
前記一方を押し付ける位置に対応する位置において、前記操作部の操作により、前記一方に向けて突出する突出部を備えた
請求項１に記載の発熱部材の放熱構造。
【請求項３】
前記押し付け部材は、
前記外装カバーから前記立設方向と反対側に延出する軸部を有し、
前記突出部が、前記操作部の操作により、前記軸部における外周方向に向けて突出する
請求項２に記載の発熱部材の放熱構造。
【請求項４】
前記放熱部材に対して前記発熱部材が並列配置される方向と直交する方向に沿って、複数の前記発熱部材が縦列配置され、
前記操作部は、
複数の前記押し付け部材が前記一方を前記他方に向けて押し付けるように操作する
請求項１乃至請求項３のうちのいずれかに記載の発熱部材の放熱構造。
【請求項５】
前記押し付け部材は、一端側が縦列配置された複数の前記発熱部材に対応するように複数配置され、
複数配置された前記押し付け部材の他端側が連結部で連結された
請求項４に記載の発熱部材の放熱構造。
【請求項６】
前記押し付け部材は、前記外装カバーに設けられており、
前記外装カバーは、前記押し付け部材が配置された箇所を内部側に窪ませて構成された
請求項１乃至請求項５のうちのいずれかに記載の発熱部材の放熱構造。
【請求項７】
前記押し付け部材は、前記外装カバーに設けられており、
所望の位置に前記外装カバーを案内する装着案内部が設けられた
請求項１乃至請求項６のうちのいずれかに記載の発熱部材の放熱構造。
【請求項８】
前記押し付け部材は、
前記一方に当接する当接部が備えられ、
該当接部は、前記一方を押し付ける箇所が前記他方に向けて突出する円弧状に形成された
請求項１乃至請求項７のうちのいずれかに記載の発熱部材の放熱構造。
【請求項９】
前記一方に、押し付けられる前記押し付け部材が当接する当接凹部が設けられた
請求項１乃至請求項８のうちのいずれかに記載の発熱部材の放熱構造。
【発明の詳細な説明】
【技術分野】
【０００１】
この発明は、例えば、基板に実装される発熱部材の放熱構造に関する。
【背景技術】
【０００２】
従来、発熱する電子部品や電子部品が実装された実装基板（これらをまとめて以下において発熱部材という）を基板に実装させた基板構造において、発熱部材の熱を放熱する放熱部材を発熱部材に併設した発熱部材の放熱構造が提案されている。
【０００３】
例えば、特許文献１に記載の発熱部材の放熱構造では、基板に設置された放熱部材に対して、バネ性を有するクランプ部材で発熱部材を押し付けることで、発熱部材の熱を放熱部材に伝達させて放熱する構造が開示されている。
【０００４】
なお、特許文献１に記載の発熱部品の放熱構造では、基板に対して発熱部材をハンダ実装したうえで、発熱部材と近接する位置に放熱部材を設置し、発熱部材を放熱部材に押付けるクランプ部材を放熱部材にネジ固定して組み付けることとなる。
【０００５】
しかしながら、このようなクランプ部材のネジ固定は製品として実装する際に行われることが多いが、ネジ固定のために組み付け作業する空間、つまり発熱部材に対して放熱部材が配置された側と反対側の空間には、一般的に多くの他の電子部品やトランス、コネクタ等が設置されているため、組み付け作業時に作業者の手や道具が他の電子部品などを干渉するおそれがあり、組み付け作業が煩雑になるといった問題があった。
【先行技術文献】
【特許文献】
【０００６】
【特許文献１】特開２００４−１４６６２７号公報
【発明の概要】
【発明が解決しようとする課題】
【０００７】
この発明は、上述の問題に鑑み、発熱部材を放熱部材に押し付ける押し付け作業の作業性を向上させることができる発熱部材の放熱構造を提供することを目的とする。
【課題を解決するための手段】
【０００８】
この発明は、基板に対して立設された発熱部材と、該発熱部材に近接するとともに、並列配置された放熱部材と、前記放熱部材と前記発熱部材との少なくともに一方を、他方に押し付ける押し付け部材と、該押し付け部材を作動させて前記発熱部材を前記放熱部材に押し付ける操作を行う操作部と、前記発熱部材を保護する外装カバーとを有し、前記基板に対して前記発熱部材が立設された方向を立設方向とし、前記操作部は、前記一方が前記他方を押し付けるように、前記発熱部材の前記立設方向に配置された前記外装カバーの外部から前記押し付け部材を操作する発熱部材の放熱構造であることを特徴とする。
【０００９】
上述の基板に実装された発熱部材は、基板に実装するトランジスタなどの電子部品、あるいはこれらの電子部品が別の基板に実装された電子部品実装基板であってもよい。  
前記放熱部材は、例えば前記外装カバーの側壁である場合や、前記外装カバーに取り付けられた別部材である場合、前記外装カバーとは別体である場合を含む。
【００１０】
上述の前記発熱部材を前記放熱部材に押し付ける操作を行う操作部とは、前記一方を前記他方に押し付けることができれば、前記操作部自体の操作は、押し込む、引っ張る、曲げる、あるいは捩じるなど様々な操作であってもよい。
【００１１】
前記押し付け部材は、前記発熱部材又は前記放熱部材の一方を、他方に押し付けることができれば、形状や構成はどのようなものであってもよく、例えば、前記操作部の操作により前記他方側に移動することで、前記一方を他方側に押し付ける構成や、前記操作部の操作により前記押し付け部材の移動を規制する弾性力などが解除され、前記押し込み部材が移動して前記一方を他方側に押し付ける構成、前記操作部の操作に伴い外方に向けて広がるように構成された押し込み部材により、前記一方を他方側に押し付ける構成など、様々な構成が含まれる。  
なお、前記押し付け部材は、前記外装カバーに固定されていてもよいし、前記基板に直接的又は間接的に固定されていてもよい。
【００１２】
この発明によると、前記外装カバーの外部から前記押し付け部材を操作することができるため、例えば作業者の手などが基板に立設された他の電子部品などに干渉することを防止できる。これにより作業者は手が電子部品に当たるなどの心配をすることがなく、前記押し付け部材を前記一方に押し付けることができるとともに、前記押し付け部材で前記発熱部材を前記放熱部材に確実に押し付けることができるため、押し付け作業の効率を向上させることができる。
【００１３】
この発明の態様として、前記押し付け部材は、前記一方を押し付ける位置に対応する位置において、前記操作部の操作により、前記一方に向けて突出する突出部を備えてもよい。  
前記突出部は、前記操作部の操作にともなって前記突出部が徐々に突出する構成や、前記操作部の操作により前記突出部が急に突出する構成も含む。
【００１４】
また、前記突出部は、前記一方を前記他方に押し付けることができればどのような構成でもよく、例えば、前記立設方向を中心軸とした径方向に向けて前記突出部が突出する構成や、前記他方に向けてのみ前記突出部が突出する構成、前記立設方向に沿った突出部が前記他方に向けて倒れることで前記他方に向けて突出する構成でもよい。  
なお、前記突出部は、前記押し付け部材に収納されている構成や、前記突出部は部分的に突出した状態からさらに突出する構成としてもよい。
【００１５】
この発明により、前記操作部の操作前では、前記突出部が前記一方側を押し付ける程度に突出されておらず、前記押し付け部材を設置する際に、前記突出部が前記一方に当接することや、前記押し付け部材が前記基板に設けられた他の電子部品などと干渉することも防止できるため、前記一方や他の電子部品などが損傷することを防止できる。
【００１６】
さらにまた、前記操作部の操作に伴い徐々に突出する構成とした場合、前記突出部の突出量を調整することができるため、前記発熱部材と前記放熱部材とをより確実に接触させることができるとともに、前記突出部が前記一方を過度に押し付けられて、前記発熱部材や前記放熱部材が損傷することを防止できる。
【００１７】
またこの発明の態様として、前記押し付け部材は、前記外装カバーから前記立設方向と反対側に延出する軸部を有し、前記突出部が、前記操作部の操作により、前記軸部における外周方向に向けて突出してもよい。  
この発明により、前記押し付け部材を装着する際に、前記押し付け部材が他の部材と干渉することをより確実に防止できるとともに、前記押し付け部材の設置に要する手間を軽減することができる。  
【００１８】
詳述すると、前記軸部が前記立設方向に沿って延出していることから、前記立設方向から視た前記押し付け部材の面積を小さくでき、前記押し付け部材を設置する場合において、前記押し付け部材が前記基板に設けられた他の電子部品などと干渉することをより確実に防止できる。
【００１９】
また、前記突出部の突出方向の偏りをなくすことにより、前記突出部の突出方向に、前記一方が配置されるように前記押し付け部材を設置する必要がなく、前記押し付け部材の設置に要する手間を軽減することができるとともに、確実に前記押し付け部材で前記一方を押し付けることができる。
【００２０】
またこの発明の態様として、前記放熱部材に対して前記発熱部材が並列配置される方向と直交する方向に沿って、複数の前記発熱部材が縦列配置され、前記操作部は、複数の前記押し付け部材が前記一方を前記他方に向けて押し付けるように操作してもよい。
【００２１】
この発明により、前記操作部の操作をするだけで、作業者の手などが他の電子部品などに干渉することなく、複数の発熱部材を前記放熱部材と接触させることができ、容易かつ効率よく前記発熱部材の放熱を行うことができる、
【００２２】
またこの発明の態様として、前記押し付け部材は、一端側が縦列配置された複数の前記発熱部材に対応するように複数配置され、複数配置された前記押し付け部材の他端側が連結部で連結されてもよい。  
この発明により、前記押し付け部材の強度を向上させることができるとともに、前記操作部の操作により、確実にそれぞれの前記発熱部材を前記放熱部材に接触させることができる。
【００２３】
詳述すると、前記押し付け部材の一端側を前記連結部に連結することにより、前記押し付け部材の強度を向上させることができる。  
その一方で、前記連結部に他端側が連結された前記押し付け部材は、縦列配置された複数の前記発熱部材に対応するように設けられているため、それぞれの前記発熱部材に対応して、前記一方を前記他方に押し付けることができ、前記発熱部材と前記放熱部材とを安定して接触させることができる。
【００２４】
具体的には、縦列配置された個々の前記発熱部材が他の発熱部材と縦列方向にずれて配置されている場合であっても、それぞれの押し付け部材が前記発熱部材と前記放熱部材とを確実に接触させることができる。
【００２５】
またこの発明の態様として、前記押し付け部材は、前記外装カバーに設けられており、前記外装カバーは、前記押し付け部材が配置された箇所を内部側に窪ませていてもよい。  
この発明により、前記押し付け部材が前記一方を押し付ける部分から前記外装カバーまでの距離を短くすることができるため、前記操作部による操作を軽減することができるとともに、前記外装カバーから外部に露出している前記操作部の露出部分の長さを短くできるため、前記外装カバーの外部に設けられた他の部材と前記操作部が干渉するおそれを低減できる。
【００２６】
またこの発明の態様として、前記押し付け部材は、前記外装カバーに設けられており、所望の位置に前記外装カバーを案内する装着案内部が設けられてもよい。  
この発明により、前記一方を前記他方に押し付けることができるように前記発熱部材に対応する位置に前記押し付け部材を配置することができるため、前記外装カバーの外部からの操作であっても、前記押し付け部材で前記一方を前記他方に押し付けることができ、より確実に前記発熱部材の熱を放熱させることができる。
【００２７】
またこの発明の態様として、前記押し付け部材は、前記一方に当接する当接部が備えられ、該当接部は、前記一方を押し付ける箇所が前記他方に向けて突出する円弧状に形成されてもよい。  
この発明により、前記押し付け部材が前記一方を損傷させることなく確実に押し付けることができ、前記発熱部材と前記放熱部材とをより確実に接触させることができる。したがって、より確実に前記発熱部材の熱を前記放熱部材で放熱させることができる。
【００２８】
またこの発明の態様として、前記一方に、押し付けられる前記押し付け部材が当接する当接凹部が設けられてもよい。  
この発明により、前記押し付け部材を前記当接凹部に嵌めることができるため、前記一方に対する前記押し付け部材の位置ずれを防止できる。
【発明の効果】
【００２９】
この発明により、前記発熱部材を前記放熱部材に押し付ける押し付け作業の作業性を向上させることができる発熱部材の放熱構造を提供することができる。
【図面の簡単な説明】
【００３０】
【図１】放熱構造体の要部の概略斜視図。
【図２】放熱構造体の要部の概略分解斜視図。
【図３】放熱構造体の要部の縦断面図による説明図。
【図４】第２実施形態の放熱構造体の要部の概略斜視図。
【図５】さらに異なる実施形態の放熱構造体の断面図による説明図。
【発明を実施するための形態】
【００３１】
（第１実施形態）  
この発明の第１実施形態の放熱構造体１について、図１乃至図３とともに説明する。  
【００３２】
図１は放熱構造体１の要部の概略斜視図を示し、図２は放熱構造体１の要部の概略分解斜視図を示し、図３は放熱構造体１の要部の断面図による説明図を示している。  
詳述すると、図１は筐体内部の内部空間から視た概略斜視図であり、放熱構造体１の要部のみを切り出して示している。図２は図１で示す放熱構造体１の要部を分解した概略分解斜視図を示している。なお、図１及び図２では、発熱部品２０及び絶縁シート６０の構造を明確に図示するために、アッパーカバー１２の一部を透過状態で図示している。
【００３３】
図３は放熱構造体１の要部の断面図であり、図３（ａ）は押し付け操作部４０で押し付け部材３０を押し下げる前の状態の縦断面図を示し、図３（ｂ）は押し付け操作部４０で押し付け部材３０を押し下げた状態の縦断面図を示す。
【００３４】
ここで、放熱構造体１の高さ方向（図１において上下方向）を上下方向Ｈとし、その上側を上側Ｈｕとし、下側を下側Ｈｄとする。また、放熱構造体１の幅方向（図１において右下と左上とを結ぶ方向）を幅方向Ｗとし、放熱構造体１における筐体１０の内外方向（図１において右上と左下とを結ぶ方向）における内側（図１において右下側）を内側ＩＮとし、外側（図１において左上側）を外側ＯＵＴとする。この上下方向Ｈと幅方向Ｗは直交している。
【００３５】
放熱構造体１は、アンダーカバー１１とともに筐体１０を構成し、放熱部材として機能するアッパーカバー１２と、筐体１０の内側ＩＮに形成される内部空間に配置された基板１３に実装された発熱部品２０と、発熱部品２０をアッパーカバー１２に押付ける押し付け部材３０及び押し付け操作部４０とで構成され、筐体１０に収容されている。
【００３６】
筐体１０は、底面１１ａと側面１１ｂとで構成する上側Ｈｕが開放された凹状のアンダーカバー１１と、上面１２ａと側面１２ｂとで構成する下側Ｈｄが開放された逆凹状のアッパーカバー１２とを上下方向Ｈに沿って組み付けた箱形で構成され、内部に基板１３を内蔵する内部空間を有している。なお、図１及び図２は、筐体１０の一部しか図示していない。
【００３７】
アンダーカバー１１の側面１１ｂには、基板１３を設置できるように基板１３の形状に合わせて設けられた設置溝１１ｃと、上方から装着するアッパーカバー１２を所望の位置に装着できるように案内する案内部１１ｄとが形成されている。  
案内部１１ｄは、側面１１ｂの上端面の外側に形成されたテーパ面であり、内部に向かうに伴い下方に向けて連続的に傾斜している。
【００３８】
放熱部材として機能するアッパーカバー１２は、放熱性の高い金属製のカバー体で構成されており、アッパーカバー１２の上面１２ａは、一部分が下側Ｈｄに窪んで形成されるとともに、後述する押し付け部材３０を挿通して固定する挿通孔１２１が設けられている。そして、アッパーカバー１２の側面１２ｂの内面には絶縁シート６０が貼り付けられている。
【００３９】
発熱部品２０は、トランジスタなどの電子部品であり、上下方向Ｈに沿った上側Ｈｕに向けて基板１３に立設されており、アンダーカバー１１にアッパーカバー１２を装着させた装着状態において、側面１２ｂと近接するとともに、内外方向に沿って並列配置されている。  
なお、本実施形態において、発熱部品２０は電子部品としているが、電子部品に限らず、例えば、他の基板に実装された電子部品実装基板であってもよい。
【００４０】
この発熱部品２０は、底部から下方に延びる複数本（本実施形態では３本）の導電性を有する脚部２１を備え、内側ＩＮの主面には、中央部分を外側ＯＵＴに向けてわずかに窪ませた当接凹部２２が設けられており、脚部２１を基板１３に設けたスルーホール１３ａに貫通させるとともに、基板１３の底面側でハンダ固定されることで、基板１３に発熱部品２０を実装することができる。
【００４１】
なお、脚部２１をスルーホール１３ａに貫通させて実装した発熱部品２０は、基板１３の上面から適宜の間隔を隔てた高さに配置され、その下方に脚部２１が露出する態様である。つまり、発熱部品２０は脚部２１で支持された状態で実装されている。
【００４２】
押し付け部材３０は、中空状に構成された円管状の軸部３１と、軸部３１の内部において上下方向Ｈに移動可能な移動部３２と、軸部３１の下端から突出する押し付け部本体３３とで構成されている。
【００４３】
軸部３１は、上面１２ａの挿通孔１２１に嵌合可能な大きさの外径を有する、上下方向Ｈに沿った円筒体であり、中空状に形成された内部には、軸部３１の内径と等しい外径を有する円柱体である移動部３２と、軸部３１の内部に収容された収容状態で略円柱状に形成された押し付け部本体３３が収容されている。
【００４４】
軸部３１の上端には、後述する押し付け操作部４０を螺合可能に構成された操作孔３１１が設けられ、下方には内部に収容された押し付け部本体３３が突出する開口部３１２が設けられている（図３（ａ）参照）。  
操作孔３１１の内周面には、後述する押し付け操作部４０を螺合できるようにらせん状のネジ溝（図示省略）が形成されている。
【００４５】
移動部３２は、軸部３１の内部に収容されており、図３（ａ）及び図３（ｂ）に示すように、後述する押し付け操作部４０の操作により、上下方向Ｈに沿って移動可能に構成されている。
【００４６】
軸部３１の内部に収容された押し付け部本体３３は、同一形状で構成された４つの突出片３３１で構成されている。  
この突出片３３１は、平面視で略四半円状の扇形をした上面を有する柱体であり、上端の中央部分が移動部３２に対して固定されているとともに、下端側の外周面が内径方向に向けて緩やかに縮径するように形成されている。この円弧状に形成された部分を当接部３４とする。
【００４７】
なお、突出片３３１の内面同士は、外部に向けて反発力を有する弾性片３５を介して連結されており、軸部３１に収容されていない状態において、すなわち開口部３１２から突出片３３１が露出した状態において、突出片３３１の下端側は開口するように、径外方向に向けて突出することとなる。
【００４８】
押し付け操作部４０は、操作孔３１１に螺合できるボルトであり、操作孔３１１に螺合されるボルト軸部４１と、ボルト軸部４１の上端に固定されたボルト頭部４２とで構成されている。  
ボルト軸部４１は操作孔３１１の内径と略同径の外径を有する円柱体であり、らせん状に設けられたネジ山（図示省略）が外周面に設けられている。
【００４９】
このように構成された押し付け操作部４０は、ボルト軸部４１の上端に固定されたボルト頭部４２を、アッパーカバー１２の上面１２ａよりも上方（上側Ｈｕ）から操作することで、すなわち押し付け操作部４０の軸方向から視て時計回りに回転させることで、押し付け操作部４０を下方（下側Ｈｄ）に向けて移動させることができる。
【００５０】
絶縁シート６０は、絶縁性は有するものの、熱伝導性に優れたシート材であり、アッパーカバー１２の側面１２ｂの内面において、押し付け部材３０と対応する位置に貼り付けられている。
【００５１】
このように構成された放熱構造体１は、アッパーカバー１２をアンダーカバー１１に装着させた状態において、アッパーカバー１２の側面１２ｂの内面に貼り付けられた絶縁シート６０の内側ＩＮに基板１３に実装された発熱部品２０が配置され、さらにその内側ＩＮに押し付け部材３０の下端側が配置されている。
【００５２】
なお、アッパーカバー１２をアンダーカバー１１に装着させた状態において、アッパーカバー１２は基板１３を囲繞するようにアンダーカバー１１に装着されているため、筐体１０の内部において基板１３に実装された発熱部品２０を保護することができる。  
【００５３】
この押し付け部材３０は、アッパーカバー１２における上面１２ａに設けた挿通孔１２１に嵌合している。すなわち、軸部３１の上端側は上面１２ａを挿通しており、操作孔３１１にはボルト軸部４１が螺合されている。
【００５４】
このように押し付け部材３０の上端に螺合された押し付け操作部４０を軸方向に沿って時計回りに回転させることにより、押し付け操作部４０が下方に移動するため、ボルト軸部４１の下端が移動部３２を押し付けて、移動部３２を下方（下側Ｈｄ）に移動させることができる。
【００５５】
これにより、上端が移動部３２と連結された押し付け部本体３３（突出片３３１）の下端が開口部３１２から外部に露出するとともに、弾性片３５の反発力によって、下端が開口するように、径方向外側に向けて広がることとなる（図３（ｂ）参照）。
【００５６】
そして、径外側に向けて広がった突出片３３１は、当接部３４が発熱部品２０の内側ＩＮに設けられた当接凹部２２と当接し、発熱部品２０を側面１２ｂに貼り付けられた絶縁シート６０に押し付ける。すなわち、発熱部品２０が側面１２ｂと間接的に接触することとなり、発熱部品２０の熱を側面１２ｂに伝達させることができ、側面１２ｂから外部に放出することができる。
【００５７】
このように放熱構造体１は、基板１３に対して立設された発熱部品２０と、発熱部品２０に近接するとともに、並列配置された側面１２ｂと、発熱部品２０を側面１２ｂに押し付ける押し付け部材３０と、押し付け部材３０を作動させて発熱部品２０を側面１２ｂに押し付ける操作を行う押し付け操作部４０と、発熱部品２０を保護するアッパーカバー１２とを有し、基板１３に対して発熱部品２０が立設された方向を上下方向Ｈの上側Ｈｕとし、押し付け操作部４０は、押し付け部材３０を側面１２ｂに押し付けるように、発熱部品２０の上側Ｈｕに配置されたアッパーカバー１２の外部である上側Ｈｕから押し付け部材３０を操作することにより、例えば作業者の手などが基板１３に立設された他の電子部品などの他の部材と干渉することを防止できる。
【００５８】
これにより作業者は他の部材に手が当たることを心配することがなく、押し付け部材３０を発熱部品２０に押し付けることができるとともに、押し付け部材３０で発熱部品２０を放熱部材である側面１２ｂに確実に押し付けることができるため、押し付け作業の効率を向上させることができる。
【００５９】
また、押し付け部材３０は、発熱部品２０を押し付けることができる位置、すなわち発熱部品２０と対向する位置において、押し付け操作部４０の操作により、発熱部品２０に向けて突出する押し付け部本体３３を備えることにより、押し付け操作部４０の操作前では、押し付け部本体３３が軸部３１に収容されていることから、押し付け部本体３３が発熱部品２０を押し付ける程に外側ＯＵＴに突出していない。このため、押し付け部材３０を設置する際に、押し付け部本体３３が発熱部品２０に当接することや、基板１３に実装された他の電子部品などと干渉することも防止できるため、発熱部品２０や他の電子部品などが損傷することを防止できる。
【００６０】
さらにまた、押し付け操作部４０の操作に伴い押し付け部本体３３が下方に移動し、突出片３３１が開口する構成としているため、押し付け部本体３３は徐々に発熱部品２０に向けて突出することができる。すなわち、押し付け操作部４０の操作で押し付け部本体３３の突出量を調整することができるため、発熱部品２０と側面１２ｂとをより確実に接触させることができるとともに、押し付け部本体３３が発熱部品２０を過度に押し付けることを防止し、発熱部品２０や側面１２ｂが損傷することを防止できる。
【００６１】
また、押し付け部材３０は、アッパーカバー１２から上下方向Ｈの下側Ｈｄに延出する軸部３１を有し、押し付け部本体３３が、押し付け操作部４０の操作により、軸部３１における外周方向に向けて突出することにより、アッパーカバー１２をアンダーカバー１１に装着する際に、押し付け部材３０が他の部材と干渉することをより確実に防止できるとともに、押し付け部材３０の設置に要する手間を軽減することができる。
【００６２】
詳述すると、軸部３１が上下方向Ｈに沿って延出していることから、上側Ｈｕから視た押し付け部材３０の面積を小さくすることができるため、押し付け部材３０を設置する際に、押し付け部材３０が基板１３に立設された他の電子部品などと干渉することをより確実に防止できる。
【００６３】
また、押し付け部本体３３が軸部３１の外周方向に突出することにより、すなわち突出方向の偏りをなくすことにより、押し付け部本体３３の突出方向に発熱部品２０が配置されるように押し付け部材３０を設置する必要がなく、押し付け部材３０の設置に要する手間を軽減することができるとともに、確実に押し付け部材３０で発熱部品２０を押し付けることができる。
【００６４】
また、押し付け部材３０は、アッパーカバー１２に設けられており、アッパーカバー１２は、押し付け部材３０が配置された箇所を内部側に窪ませることにより、押し付け部材３０が発熱部品２０を押し付ける箇所からアッパーカバー１２までの距離を短くすることができるため、押し付け操作部４０による操作を軽減することができるとともに、窪ませた箇所以外の上面１２ａから突出する押し付け操作部４０の突出量を減少できるため、押し付け操作部４０が筐体１０の外部に設けられた干渉するおそれを低減できる。
【００６５】
さらにまた、押し付け部材３０は、アッパーカバー１２に設けられており、所望の位置にアッパーカバー１２を案内する案内部１１ｄが設けられていることにより、発熱部品２０と対向する位置に押し付け部材３０を適切に配置することができるため、アッパーカバー１２の外部からの操作であっても、押し付け部材３０で発熱部品２０を側面１２ｂに押し付けることができ、より確実に発熱部品２０の熱を放熱させることができる。
【００６６】
また、押し付け部材３０は、発熱部品２０に当接する当接部３４を備え、当接部３４は、押し付け部材３０を押し付ける箇所が側面１２ｂに向けて突出する円弧状に形成されることにより、押し付け部材３０で発熱部品２０を損傷させることなく、押し付け部材３０が発熱部品２０を確実に押し付けることができるため、発熱部品２０と側面１２ｂとをより確実に接触させることができる。
【００６７】
さらにまた、発熱部品２０に、押し付け部材３０が当接する当接凹部２２が設けられてもいることにより、押し付け部材３０を当接凹部２２に嵌めることができるため、押し付け部材３０に対する押し付け部材３０の位置ずれも防止でき、より確実な発熱部品２０と側面１２ｂとの接触を図ることができる。
【００６８】
（第２実施形態）
また、本実施形態では、発熱部品２０を一つとしているが、例えば図４に示すように、発熱部品２０を側面１２ｂに沿って複数（２つ）配置してもよい。  
以下、複数の発熱部品２０を側面１２ｂに沿って縦列配置した放熱構造体１Ａについて、図４に基づいて簡単に説明する。ただし、以下で説明する構成のうち、上述した第１実施形態の放熱構造体１と同様の構成については、同一の符号を付して、その説明を省略する。
【００６９】
放熱構造体１Ａの要部の概略斜視図を示す図４のように、放熱構造体１Ａは、側面１２ｂに沿って、すなわち発熱部品２０が側面１２ｂに対して並列配置された内外方向に対して直交する幅方向Ｗに沿って発熱部品２０が２つ並んで配置されているとともに、発熱部品２０に対応するように、押し付け部材３０Ａが２つ並んで縦列配置されている。
【００７０】
この押し付け部材３０Ａは、基本構成は押し付け部材３０と同じだが、上端が連結部５０で連結されており、連結部５０に対して螺合されている押し付け操作部４０を操作することにより、軸部３１から押し付け部本体３３を下方に突出させる構成となっている。
【００７１】
すなわち、連結部５０の内部には、押し付け操作部４０の回転操作を移動部３２の上下移動として伝達する伝達機構（図示省略）が設けられており、押し付け操作部４０の回転操作により、押し付け部本体３３を一括してそれぞれの軸部３１の下方から露出させることができる。  
なお、放熱構造体１Ｂでは、連結部５０は上面１２ａに対して固定されており、押し付け操作部４０のボルト軸部４１が上面１２ａを挿通するように構成されている。
【００７２】
このように放熱構造体１Ｂは、側面１２ｂに対して発熱部品２０が並列配置される方向（内外方向）と直交する方向（幅方向Ｗ）に沿って、複数の発熱部品２０が縦列配置され、押し付け操作部４０は、それぞれの押し付け部材３０（押し付け部本体３３）が、発熱部品２０を側面１２ｂに向けて押し付けるように操作することにより、押し付け操作部４０の操作をするだけで、複数の発熱部品２０を一度に側面１２ｂと接触させることができ、容易かつ効率よく発熱部品２０の放熱を行うことができる、
【００７３】
また、押し付け部材３０は、一端側（下端側）が縦列配置された複数の発熱部品２０に対応するように複数配置され、複数配置された押し付け部材３０の他端側が連結部５０で連結されていることにより、押し付け部材３０の強度を向上させることができるとともに、押し付け操作部４０の操作により、確実にそれぞれの発熱部品２０を側面１２ｂに接触させることができる。
【００７４】
詳述すると、押し付け部材３０は、連結部５０に他端側が連結しているため、押し付け部材３０の強度を向上させることができる。  
また、連結部５０に他端側が連結されている押し付け部材３０は、縦列配置された複数の発熱部品２０に対応するように設けられているため、それぞれの発熱部品２０に対応して、発熱部品２０を側面１２ｂに押し付けることができ、側面１２ｂと発熱部品２０を安定して接触させることができる。
【００７５】
具体的には、縦列配置された個々の発熱部品２０が他の発熱部品２０と内外方向にずれて配置されている場合であっても、押し付け部本体３３を突出させる弾性片３５により、それぞれに接触強度を調整されるため、発熱部品２０を確実に側面１２ｂに接触させることができる。
【００７６】
このように、押し付け部材３０の他端側が連結部５０と連結していることにより、押し付け部材３０の強度を向上させることができるとともに、それぞれの発熱部品２０を確実に側面１２ｂに接触させることができる。
【００７７】
（第３実施形態）
この発明の第３実施形態の放熱構造体１Ｂについて、図５とともに説明する。ただし、以下で説明する構成のうち、上述した第１実施形態の放熱構造体１と同様の構成については、同一の符号を付して、その説明を省略する。
【００７８】
図５は、放熱構造体１Ｂの要部の縦断面図を示し、詳しくは、図５（ａ）はアンダーカバー１１にアッパーカバー１２Ｂを組み付けた状態における放熱構造体１Ｂの縦断面図を示し、図５（ｂ）は押し付け操作部４０Ｂで押し付け部材３０Ｂを外側ＯＵＴに移動させた状態の放熱構造体１Ｂの縦断面図を示す。
【００７９】
アンダーカバー１１とともに筐体１０Ｂを構成するアッパーカバー１２Ｂは、上下方向Ｈに沿って貫通するとともに、押し付け部材３０を内外方向に沿って移動できるように構成された移動用挿通孔１２２が上面１２ａに設けられている。
【００８０】
詳述すると、移動用挿通孔１２２は、上面１２ａの上下方向Ｈに貫通する貫通孔１２３と、貫通孔１２３における板厚方向の中央部分を外側ＯＵＴに向けて窪ませた溝部１２４とで構成されている。また、貫通孔１２３の内側ＩＮには、押し付け操作部４０Ｂが上下方向Ｈに沿って螺合できるように構成されている。
【００８１】
この移動用挿通孔１２２における内側ＩＮ及び外側ＯＵＴの面は、移動用挿通孔１２２が過度に内側ＩＮ側及び外側ＯＵＴ側に移動することをそれぞれ防止している。これにより、押し付け操作部４０Ｂを組み付けていない状態において、押し付け部材３０Ｂが過度に内側ＩＮ側及び外側ＯＵＴ側に移動して発熱部品２０や他の電子部品に干渉することを防止できる。
【００８２】
この移動用挿通孔１２２に設置される押し付け部材３０Ｂは、弾性力を有する薄い板状体で構成され、幅方向Ｗから視て「く」の字状に形成された押し付け部本体３３Ｂと、押し付け部本体３３Ｂの基端が連結するとともに、内外方向に沿った平板状の移動部３２Ｂで構成されている。
【００８３】
幅方向Ｗから視て「く」の字状に形成された押し付け部本体３３Ｂにおける湾曲部分には当接部３４Ｂが設けられている。なお、当接部３４Ｂは、当接凹部２２に対して緩く嵌まるとともに、発熱部品２０に角当たりしないように、緩やかな円弧状に形成されている。  
移動部３２Ｂは、所定の板厚を有するとともに、内外方向に沿って延出する平板であり、内側ＩＮの端部は、円弧状に形成されている。
【００８４】
押し付け操作部４０Ｂは、下端が先細りするように構成されたボルト軸部４１Ｂと、ボルト頭部４２とで構成され、移動用挿通孔１２２の内側ＩＮに対して螺合できるように構成されている。  
このように構成された押し付け部材３０Ｂは、押し付け部本体３３Ｂが筐体１０の内部に配置されるともに、移動部３２Ｂが内外方向に沿って移動可能に移動用挿通孔１２２に配置されており、移動用挿通孔１２２の内側ＩＮに押し付け操作部４０を螺合することで、移動部３２Ｂを外側ＯＵＴに移動させることができる（図５（ｂ）参照）。
【００８５】
これにより、移動部３２Ｂに固定された押し付け部本体３３Ｂが外側ＯＵＴに移動することとなり、当接部３４Ｂが当接凹部２２を押し付け、発熱部品２０を絶縁シート６０介して側面１２ｂに接触させることができ、発熱部品２０の熱を側面１２ｂに伝達して外部に放出することができる。
【００８６】
この発明の構成と、上述の実施形態との対応において、
発熱部材は、発熱部品２０に対応し、同様に
放熱部材は、側面１２ｂに対応し、
操作部は、押し付け操作部４０，押し付け操作部４０Ｂに対応し、
外装カバーは、アッパーカバー１２、アッパーカバー１２Ｂに対応し、
立設方向は、上下方向Ｈに対応し、
発熱部材の放熱構造は、放熱構造体１，１Ａ，１Ｂに対応し、
突出部は、押し付け部本体３３、３３Ｂに対応し、
装着案内部は、案内部１１ｄに対応し、
この発明は、上述の実施形態の構成のみに限定されるものではなく、多くの実施の形態を得ることができる。
【００８７】
なお、以下に記載の他の実施形態において、本実施形態と同じ構成については同一の番号を付しその説明を省略する。また、他の実施形態に記載の内容は、それぞれの実施形態にのみ実施できるものではなく、効果を奏する限り適宜組み合わせを変更することができる。
【００８８】
本実施形態では、放熱部材をアッパーカバー１２の側面１２ｂとしているが、例えば、アッパーカバー１２の側面１２ｂや上面１２ａに取り付けられた部材や、アッパーカバー１２とは別体で構成された放熱部材であってもよい。さらには、アッパーカバー１２と別体で構成された放熱部材を基板１３に立設してもよいし、別部材に固定してもよい。
【００８９】
なお、放熱部材が側面１２ｂと別体で構成されている場合、必ずしも押し付け部材３０で発熱部品２０を押し付ける必要はなく、例えば押し付け部材３０で放熱部材を発熱部品２０に押し付けてもよいし、放熱部材及び発熱部品２０の両方を他方に向けて押し付けて接触させてもよい。
【００９０】
なお、本実施形態では、押し付け部材３０をアッパーカバー１２の上面１２ａに固定しているが、例えば基板１３に直接的又は間接的に固定されており、筐体１０の外部から押し付け操作部４０で操作する構成としてもよい。ここで、筐体１０の外部とは、アッパーカバー１２の上方に限らず、筐体１０の側面であってもよい。
【００９１】
また、発熱部品２０を側面１２ｂに押し付ける操作を行う押し付け操作部４０は、発熱部品２０を側面１２ｂに押し付けることができれば、押し付け操作部４０自体の操作は、第１乃至第３実施形態のような、軸部３１の軸を回転軸とした回転操作（螺合）に限らず、押し付けや、引っ張り、曲げ、あるいは捩じりなど様々な操作で行ってもよい。
【００９２】
また、押し付け部本体３３は、押し付け部本体３３により発熱部品２０を側面１２ｂに押し付けることができればどのような構造でもよく、押し付け部本体３３が上下方向Ｈを中心軸として径方向に突出する構成だけでなく、例えば、押し付け部材３０に向けてのみ突出する構成、上下方向Ｈに沿うように軸部３１に収容されている押し付け部本体３３が、発熱部品２０に向けて倒れる構成などでもよい。
【００９３】
具体的には、押し付け部本体３３が弾性部材で固定されているとともに、軸部３１の内部に係止されており、適した操作部の操作により、係止が解除され、押し付け部本体３３が外側ＯＵＴに向けて飛び出す構成や、押し付け操作部４０の螺合により、軸部３１に設けられている溝に沿って突出片３３１が移動して、押し付け部本体３３が軸部３１の径外側に突出する構成などでもよい。  
【００９４】
なお、本実施形態において、押し付け部本体３３、３３Ｂは、押し付け操作部４０の操作にともなって徐々に外側ＯＵＴに突出するとしているが、押し付け操作部４０の操作により急に突出する構成としてもよい。
【符号の説明】
【００９５】
１、１Ａ、１Ｂ        放熱構造体
１１ｄ    案内部
１２、１２Ｂ      アッパーカバー
１２ｂ    側面
１３      基板
２０      発熱部品
２２      当接凹部
３０、３０Ｂ      押し付け部材
３１      軸部
３３，３３Ｂ      押し付け部本体
３４、３４Ｂ      当接部
４０      押し付け操作部
５０      連結部
Ｈ        上下方向
【図１】
2020161768.tif 000003
【図２】
2020161768.tif 000004
【図３】
2020161768.tif 000005
【図４】
2020161768.tif 000006
【図５】
2020161768.tif 000007